(57)【要約】【課題】什器が置かれた清掃対象領域の隅々まで清掃または洗浄できる床洗浄装置および洗浄方法を提供する。【解決手段】床面に洗浄液を供給しながらドーナッツ状のパッド３を床面に押圧し、このパッド３を回転させて床面を擦ることによって洗浄するものであって、前記パッド３を覆っているカバー４を備えた床洗浄装置において、前記パッド３を前記カバー４の外方に飛び出す程度の外径とした構成。【選択図】図１
2006061286.tif 000002
【特許請求の範囲】
【請求項１】
床面に洗浄液を供給しながらパッドを床面に押圧し、このパッドを回転させて床面を擦ることによって洗浄するものであって、前記パッドを覆っているカバーを備えた床洗浄装置において、
前記パッドを前記カバーの外方にはみ出す程度の外径としたことを特徴とする床磨き装置。
【請求項２】
前記パッドの外径は、前記パッドの前記カバーの外方にはみ出している外周側が反り上がらない程度となっていることを特徴とする請求項1に記載の床磨き装置。  
【請求項３】
洗浄液を供給しながらパッドを床面に押圧し、このパッドを回転させて床面を擦ることによって洗浄する洗浄方法において、
什器類が置かれている洗浄対象領域を洗浄する場合、洗浄装置より外方にはみ出す大きさのパッドを利用することを特徴とする洗浄方法。
【発明の詳細な説明】
【技術分野】
【０００１】
本発明は、ビニール樹脂製タイル、シート等の床面洗浄に好適な床洗浄装置および洗浄方法に関するものである。
【背景技術】
【０００２】
従来、この種の装置としては、フロアーポリッシャーと称される手押し移動式の電動床洗浄装置が知られている。この電動床洗浄装置は、床面に洗浄液を供給しながら円盤状のパッドを床面に圧止し、このパッドを回転駆動させて床面を強く擦ることによって清浄化するのである。この電動床洗浄装置は概略的には、内蔵したモータによって回転されるパッドを覆っているパッドカバーを備えたパッド駆動機構と、このパッド駆動機構に対して前後左右の任意方向への傾きを手動操作で制御する自在手段を介してパッド駆動機構に連繋した棒状の操作ハンドルと、パッド駆動機構を前後に進退させるよう自在手段に付設した移動輪とを備えて成っている。そしてこの電動床洗浄装置を使用し、床面に沿って前後左右に移動走行させることによって床面を洗浄しており、また、移動操作には、パッド自体が床面を擦りながら回転しているために操作ハンドルに対する前後の傾動あるいは左右へのひねり等によって自在手段を介してパッド駆動機構全体を前後左右に傾けることで、操作者の希望する方向に移動させるようにしている（特許文献１参照）。
【特許文献１】特開２００２−３６０４８６号公報
【発明の開示】
【発明が解決しようとする課題】
【０００３】
上記従来の装置においては、パッドがパッドカバーより小さく、パッドの外周面がパッドカバーより内方に位置しているため、机や戸棚など什器が置かれた部屋の清掃または洗浄が隅々まで行なうことができない。すなわち、什器の付近に床洗浄装置を移動した際、パッドカバーを什器に接触させたとしても、パッドの外周面は什器よりかなり離れた状態となり、その部分が洗浄残しとなり、机の脚の周りや、部屋や什器の縁などが洗浄されないという問題があった。
【０００４】
本発明の目的は、什器が置かれた清掃対象領域の隅々まで清掃または洗浄できる床洗浄装置および洗浄方法を提供することにある。
【０００５】
本発明の他の目的は、什器が置かれた清掃対象領域の什器の周りまで清掃または洗浄できる床洗浄装置および洗浄方法を提供することにある。
【課題を解決するための手段】
【０００６】
上記の各目的を達成するため、請求項１の発明は、床面に洗浄液を供給しながらパッドを床面に押圧し、このパッドを回転させて床面を擦ることによって洗浄するものであって、前記パッドを覆っているカバーを備えた床洗浄装置において、前記パッドを前記カバーの外方に飛び出す程度の外径としたことを特徴としている。
【０００７】
また、請求項２の発明は、前記パッドの外径は、前記パッドの前記カバーの外方にはみ出している外周側が反り上がらない程度となっていることを特徴とする。
【０００８】
また、請求項３の発明は、洗浄液を供給しながらパッドを床面に押圧し、このパッドを回転させて床面を擦ることによって洗浄する洗浄方法において、什器類が置かれている洗浄対象領域を洗浄する場合、洗浄装置より外方に飛び出す大きさのパッドを利用することを特徴とする。
【発明の効果】
【０００９】
本発明は上記の構成であるから、什器が置かれた清掃対象領域の隅々まで清掃または洗浄できる床洗浄装置および洗浄方法を提供することができる。
【００１０】
また、什器が置かれた清掃対象領域の什器の周りまで清掃または洗浄できる床洗浄装置および洗浄方法を提供することができる。
【発明を実施するための最良の形態】
【００１１】
以下、本発明の実施形態を図に基づき説明する。
【００１２】
図１は本発明の一実施形態になる床洗浄装置を示す全体斜視図、図２は本発明を適用した洗浄装置による清掃状態の説明用図、図３は本発明を適用した洗浄装置による清掃状態の説明用図である。
【００１３】
図において、符号１は電動床洗浄装置本体であり、駆動源である内蔵モータ２によって床面上で回転されるパッド３を覆っているカバー４を備え、正面から見てほぼ凸字形をしたパッド駆動機構５と、このパッド駆動機構５に対して継ぎ手６を介して取り付けられ、継ぎ手６を中心に上下方向に傾斜自在な棒状の操作ハンドル７と、パッド駆動機構５に付設した移動輪８と、操作ハンドル７の中間位置に取り付けられた洗浄液タンク９と、洗浄液タンク９から洗浄液をパッド３の近傍に供給する洗浄液パイプ１０と、操作ハンドル７の握り部７Ａの近傍に取り付けられ、洗浄液の供給・供給停止を操作するレバー（図示省略）とを備えている。なお、符号１１は電源コードである。
【００１４】
前記パッド３は、所定の厚さたとえば３〜５センチメートルのドーナッツ状または円盤状をしており、外径は前記カバー４より１〜２センチメートル程度外方にはみ出す程度のものとなっている。はみ出す寸法を２センチメートル以下にすると、パッド駆動機構５からはみ出す寸法も約２センチメートル以下となり、パッド３のパッド駆動機構５からはみ出すことになる外周側が床面から反り上がるのを防止でき、はみ出したパッド３の外周側による清掃機能を維持できる。
【００１５】
このように構成されているので、図３に示すように、机１２が置かれた部屋を清掃または洗浄した場合、机１２の脚１２Ａの周りまでパッド３の外周側が到達し、机１２の脚１２Ａの周りまで清掃残しを発生させずに清掃または洗浄することができる。
【００１６】
また、机の脚の周りだけでなく、キャスター付きの什器におけるキャスターとキャスターとの間、図３に示すように、部屋の隅や什器の縁なども清掃残しを発生させずに清掃または洗浄することができる。
【図面の簡単な説明】
【００１７】
【図１】本発明の本発明の一実施形態になる床洗浄装置を示す全体斜視図である。
【図２】本発明を適用した洗浄装置による清掃状態の説明用図である。
【図３】本発明を適用した洗浄装置による他の清掃状態の説明用図である。
【符号の説明】
【００１８】
１  床磨き装置本体
２  内蔵モータ
３  パッド
４  カバー
５  パッド駆動機構
６  継ぎ手
７  操作ハンドル
８  移動輪
９  洗浄液タンク
１０  洗浄液パイプ
【図１】
2006061286.tif 000003
【図２】
2006061286.tif 000004
【図３】
2006061286.tif 000005